(57)【要約】【課題】薄型化を図りながらも床下地との馴染み性を向上させ、表層側の実構成部位の強度を向上させ得る床材を提供する。【解決手段】床材１は、両側端部に相じゃくり状に表側突片部１２及び裏側突片部１３が設けられ木質系基材１１を含む表層部１０の裏面側に、柔軟性を有したシート状の裏層部２０を、一方の側端部２４が前記表側突片部とによって雌実部２を構成し、かつ他方の側端部２５側の前記裏側突片部が雄実部３となるように積層した構成とされており、前記表層部の表裏には、前記表側突片部の表面及び前記裏側突片部の裏面を含んで全面に亘って樹脂系シート１４，１５がそれぞれに貼着されている。【選択図】図１
2015143432.tif 000002
【特許請求の範囲】
【請求項１】
両側端部に相じゃくり状に表側突片部及び裏側突片部が設けられ木質系基材を含む表層部の裏面側に、柔軟性を有したシート状の裏層部を、一方の側端部が前記表側突片部とによって雌実部を構成し、かつ他方の側端部側の前記裏側突片部が雄実部となるように積層した構成とされており、
前記表層部の表裏には、前記表側突片部の表面及び前記裏側突片部の裏面を含んで全面に亘って樹脂系シートがそれぞれに貼着されていることを特徴とする床材。
【請求項２】
請求項１において、
前記裏層部の表面には、前記雌実部の凹溝を区画する裏側突片部となる部位を含んで全面に亘って、前記雌実部に嵌め入れられる前記雄実部の嵌め入れ方向への易滑性を付与する易滑層状部が設けられていることを特徴とする床材。
【請求項３】
請求項１または２において、
前記裏層部の一方の側端部は、前記表側突片部よりも外方側に突出し、前記裏層部の他方の側端部は、この一方の側端部を受け入れ可能なように内方側に後退した構造とされていることを特徴とする床材。
【請求項４】
請求項１乃至３のいずれか１項において、
前記裏層部は、前記表層部の１／２以上の厚さ寸法とされ、かつ前記表層部の２．０倍以上の比重とされていることを特徴とする床材。
【発明の詳細な説明】
【技術分野】
【０００１】
本発明は、木質系基材を含んだ床材に関する。
【背景技術】
【０００２】
従来より、合板等の木質系基材の裏面側に、床下地との馴染み性を向上させる観点等から可撓性シート等を積層した床材が知られている。このような床材の側端部には、隣接する床材同士を接合するための実部が設けられている。例えば、合板等の木質系基材の両側端部のそれぞれに本実構造の雄実部及び雌実部をそれぞれに設け、その裏面側に可撓性シートを積層した構成とすることが考えられる。しかしながら、この場合には、雌雄の実を設けるために、基材の厚さが厚くなる傾向があり、また、床下地との馴染み性を向上させるには、可撓性シートも適度な厚さとする必要があり、床材自体が厚くなる傾向があった。
例えば、下記特許文献１では、対向する２辺に相じゃくり状の実を設けた木質材等からなる上層の裏面側に、床材自体の対向する２辺に雌雄形状の実が形成されるように、可撓性材料からなる中間層及び下層を積層した構成とされた床材が提案されている。
【先行技術文献】
【特許文献】
【０００３】
【特許文献１】実開平５−３０３３５号公報
【発明の概要】
【発明が解決しようとする課題】
【０００４】
上記特許文献１に記載された床材によれば、中間層及び下層と上層とによって雌雄形状の実を構成することができるので、上層の薄型化を図ることが可能ではあるが、上層の実の部位が薄くなる傾向があり、更なる改善が望まれる。
【０００５】
本発明は、上記実情に鑑みてなされたものであり、薄型化を図りながらも床下地との馴染み性を向上させ、表層側の実構成部位の強度を向上させ得る床材を提供することを目的としている。
【課題を解決するための手段】
【０００６】
上記目的を達成するために、本発明に係る床材は、両側端部に相じゃくり状に表側突片部及び裏側突片部が設けられ木質系基材を含む表層部の裏面側に、柔軟性を有したシート状の裏層部を、一方の側端部が前記表側突片部とによって雌実部を構成し、かつ他方の側端部側の前記裏側突片部が雄実部となるように積層した構成とされており、前記表層部の表裏には、前記表側突片部の表面及び前記裏側突片部の裏面を含んで全面に亘って樹脂系シートがそれぞれに貼着されていることを特徴とする。
【０００７】
本発明においては、前記裏層部の表面に、前記雌実部の凹溝を区画する裏側突片部となる部位を含んで全面に亘って、前記雌実部に嵌め入れられる前記雄実部の嵌め入れ方向への易滑性を付与する易滑層状部を設けてもよい。
また、本発明においては、前記裏層部の一方の側端部を、前記表側突片部よりも外方側に突出させ、前記裏層部の他方の側端部を、この一方の側端部を受け入れ可能なように内方側に後退させた構造としてもよい。
また、本発明においては、前記裏層部を、前記表層部の１／２以上の厚さ寸法とし、かつ前記表層部の２．０倍以上の比重としてもよい。
【発明の効果】
【０００８】
本発明に係る床材は、上述のような構成としたことで、薄型化を図りながらも床下地との馴染み性を向上させ、表層側の実構成部位の強度を向上させることができる。
【図面の簡単な説明】
【０００９】
【図１】（ａ）、（ｂ）は、いずれも本発明の一実施形態に係る床材の一例を模式的に示し、（ａ）は、概略平面図、（ｂ）は、（ａ）におけるＸ−Ｘ線矢視に対応させた一部破断概略縦断面図である。
【図２】（ａ）は、同床材の製造手順の一例を模式的に示す概略分解斜視図、（ｂ）は、同床材の一例を模式的に示す概略斜視図である。
【図３】同床材の施工状態の一例を模式的に示す一部破断概略縦断面図である。
【発明を実施するための形態】
【００１０】
以下に本発明の実施の形態について、図面に基づいて説明する。
図１〜図３は、本実施形態に係る床材の一例を模式的に示す図である。
本実施形態に係る床材１は、両側端部に相じゃくり状に表側突片部１２及び裏側突片部１３が設けられ木質系基材１１を含む表層部１０を備えている。また、床材１は、この表層部１０の裏面側に、柔軟性を有したシート状の裏層部２０を、一方の側端部２４が表側突片部１２とによって雌実部２を構成し、かつ他方の側端部２５側の裏側突片部１３が雄実部３となるように積層した構成とされている。つまり、当該床材１の一方の側端部の雌実部２を、表層部１０の表側突片部１２と裏層部２０の一方の側端部２４とによって構成し、当該床材１の他方の側端部の雄実部３を、表層部１０の裏側突片部１３によって構成している。
【００１１】
この床材１は、図１（ａ）に示すように、平面視して略長方形状とされている。この床材１の幅寸法及び長さ寸法は、搬送時や施工時等における取扱性等の観点等から適宜、設定するようにしてもよい。例えば、平面視して、１尺（３０３ｍｍ）×６尺（１８１８ｍｍ）程度とされた一般的な床材１と同寸法としてもよく、または、これよりも小さい寸法、例えば、半分程度の寸法とされたものとしてもよい。
また、本実施形態では、床材１の長手方向両側端部に雌実部２及び雄実部３を設け、床材１の幅方向両側端部に雌実部２及び雄実部３を設けた構成としている。つまり、表層部１０の四周側端部に相じゃくり状に表側突片部１２，１２及び裏側突片部１３，１３を設け、床材１の四周側端部に雌実部２，２及び雄実部３，３を設けた構成としている。
【００１２】
この床材１は、図３に示すように、複数枚を長手方向及び幅方向に並べるようにして床下地４上に施工される。また、隣り合う床材１，１の雌実部２と雄実部３とを嵌め合わすようにして本実接合されて施工される。
この床材１が施工される床下地４としては、床根太や、捨て張り合板、コンクリート下地等の床下地４に限られず、既設の床材表面や、床暖房パネルの表面を床下地４としてもよい。
なお、図１（ｂ）及び図３では、床材１の幅方向両側端部の雌実部２及び雄実部３を図示しているが、床材１の長手方向両側端部の雌実部２及び雄実部３も同様の形状とされている。
【００１３】
雌実部２は、床材１の幅方向一方の側端部及び長手方向一方の側端部のそれぞれにおいて周方向の全体に亘って設けられている。また、雌実部２の凹溝は、床材１の厚さ方向途中部位において外方側に向けて開口しており、略矩形溝形状とされている。この凹溝は、表層部１０の表側突片部１２と裏層部２０の一方の側端部２４とによって区画されている。つまり、裏層部２０の一方の側端部２４は、雌実部２の凹溝を区画する裏側突片部２４を構成する。
雄実部３は、床材１の幅方向他方の側端部及び長手方向他方の側端部のそれぞれにおいて周方向の全体に亘って設けられている。この雄実部３の突片部を構成する表層部１０の裏側突片部１３は、床材１の厚さ方向途中部位において外方側に向けて突出する形状とされ、略矩形状とされている。
【００１４】
表層部１０の木質系基材１１は、略矩形平板状とされている。
この木質系基材１１は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。また、木質系基材１１は、木粉に、合成樹脂系材料や無機フィラー、相溶化剤、着色剤などを所定の含有割合で含有させた木粉・プラスチック複合材（ＷＰＣ）から形成されたものとしてもよい。また、木質系基材１１は、これら種々の材料からなる板材を積層した複層構造とされたものとしてもよい。
また、木質系基材１１を、比較的に表面硬度が良好なＭＤＦとしてもよい。
【００１５】
また、表層部１０は、その表裏に、表側突片部１２の表面及び裏側突片部１３の裏面を含んで全面に亘って樹脂系シート１４，１５をそれぞれに貼着した構成とされている。つまり、表層部１０は、雌実部２を構成する表側突片部１２の表面及び雄実部３を構成する裏側突片部１３の裏面を含む表裏両面に、樹脂系シート１４，１５をそれぞれに貼着した構成とされている。
樹脂系シート１４，１５は、薄シート状とされている。これら表裏の樹脂系シート１４，１５は、木目模様等の模様が施されたものとしてもよい。また、これら表裏の樹脂系シート１４，１５は、防湿層を構成するものとしてもよい。これら表裏の樹脂系シート１４，１５としては、例えば、ポリエチレンやポリプロピレン、ポリ塩化ビニル、ポリエチレンテレフタレート等の合成樹脂製シートを採用するようにしてもよい。または、表裏の樹脂系シート１４，１５を、紙材等からなるシート基材に防湿樹脂層を設けたようなものとしてもよい。また、これら表裏の樹脂系シート１４，１５の厚さ寸法を、例えば、５０μｍ〜１．０ｍｍ程度としてもよく、好ましくは、０．２ｍｍ〜０．５ｍｍ程度としてもよい。
【００１６】
また、表層部１０は、本実施形態では、上記のように雌実部２及び雄実部３が床材１の四周側端部に形成されるように、四周側端部に相じゃくり状に表側突片部１２及び裏側突片部１３を設けた構成とされている。つまり、表層部１０は、当該表層部１０の幅方向一方の側端部及び長手方向一方の側端部のそれぞれに表側突片部１２を設け、当該表層部１０の幅方向他方の側端部及び長手方向他方の側端部のそれぞれに裏側突片部１３を設けた構成とされている。
表側突片部１２は、裏側部位に雌実部２の凹溝を構成する切欠状の凹所（凹段部）が設けられるように、当該表層部１０の幅方向一方の側端部及び長手方向一方の側端部のそれぞれに設けられている。この表側突片部１２は、突出方向先端面が床材１の表裏面に対して直交状の垂直面とされ、裏面が床材１の表裏面と平行状の平坦面とされている。また、雌実部２の凹溝の溝底となる、この表側突片部１２の裏面側部位の切欠状凹所の床材面域方向外方側に向く面は、表側突片部１２の突出方向先端面と平行状の平坦面とされている。
【００１７】
裏側突片部１３は、隣接配置される床材１の表側突片部１２を受け入れ可能な切欠状の凹所（凹段部）が表側部位に設けられるように、当該表層部１０の幅方向他方の側端部及び長手方向他方の側端部のそれぞれに設けられている。この裏側突片部１３は、突出方向先端面が床材１の表裏面に対して直交状の垂直面とされ、表面が床材１の表裏面と平行状の平坦面とされている。また、この裏側突片部１３の表面側部位の切欠状凹所の床材面域方向外方側に向く面は、裏側突片部１３の突出方向先端面と平行状の平坦面とされている。
これら表側突片部１２及び裏側突片部１３の突出寸法は、互いに略同寸法とされている。なお、目隙等を抑制する観点等から、表側突片部１２の突出寸法を、裏側突片部１２の突出寸法よりも僅かに大きい寸法としてもよい。
【００１８】
また、本実施形態では、これら表側突片部１２及び裏側突片部１３の床材厚さ方向に沿う厚さ寸法を、互いに略同寸法としている。つまり、これら表側突片部１２及び裏側突片部１３の厚さ寸法を、表層部１０の厚さ寸法の１／２程度の寸法としている。なお、実接合性の観点等から、これら表側突片部１２及び裏側突片部１３の厚さ寸法を、表層部１０の厚さ寸法の１／２よりも僅かに小さい寸法としてもよい。
また、図例では、表層部１０の四周の表面側縁部に、面取り部を設けた例を示している。
【００１９】
なお、表層部１０の表側突片部１２及び裏側突片部１３は、木質系基材１１の四周側端部を切削等することで形成するようにしてもよい。また、表裏の樹脂系シート１４，１５は、これら表側突片部１２及び裏側突片部１３を木質系基材１１の四周側端部に形成した後に、その表裏に貼着するようにしてもよい。または、表裏に樹脂系シート１４，１５を貼着した後に、表側突片部１２及び裏側突片部１３を形成するようにしてもよい。
また、図例では、表側の樹脂系シート１４を、表層部１０の表面側縁部に設けられた面取り部には貼着していないような図示としているが、この表側の樹脂系シート１４を、面取り部にも貼着するようにしてもよい。また、この表側の樹脂系シート１４を、表側突片部１２の突出方向先端面や、裏側突片部１３の表面側部位の切欠状凹所の床材面域方向外方側に向く面にも至るように貼着するようにしてもよい。さらには、この表側の樹脂系シート１４を、裏側突片部１３の表面にも至るように貼着するようにしてもよい。
【００２０】
また、この表層部１０の厚さ寸法は、当該床材１の強度を確保する観点や当該床材１の薄型化を図る観点、表側突片部１２及び裏側突片部１３の加工性、施工現場での切断性等の観点等から適宜、設定するようにしてもよい。例えば、この表層部１０の厚さ寸法を、施工現場においてカッターナイフ等の簡易な切断具で切断可能な厚さ寸法としてもよく、
２．０ｍｍ〜６．０ｍｍ程度としてもよく、好ましくは、３．０ｍｍ〜４．０ｍｍ程度としてもよい。
また、この表層部１０の表面に、塗装等によって着色仕上処理が施されたものとしてもよい。この場合、面取り部や表側突片部１２の突出方向先端面、裏側突片部１３の表面側部位の切欠状凹所の床材面域方向外方側に向く面、裏側突片部１３の表面にも着色仕上処理が施されたものとしてもよい。
【００２１】
裏層部２０は、柔軟性を有したシート状の軟質基材２１を含んでいる。
また、本実施形態では、裏層部２０を、表層部１０の１／２以上の厚さ寸法とし、かつ表層部１０の２．０倍以上の比重としている。
この裏層部２０の厚さ寸法は、床下地４との馴染み性や、雌実部２の凹溝を区画する裏側突片部２４の保形性等の観点、当該床材１の薄型化を図る観点、施工現場での切断性等の観点等から適宜、設定するようにしてもよい。例えば、この裏層部２０の厚さ寸法を、施工現場においてカッターナイフ等の簡易な切断具で切断可能な厚さ寸法としてもよく、
２．０ｍｍ〜６．０ｍｍ程度としてもよく、好ましくは、３．０ｍｍ〜４．０ｍｍ程度としてもよい。図例では、裏層部２０の厚さ寸法を、表層部１０の厚さ寸法よりも小さい寸法とした例を示しているが、これらを互いに同寸法としてもよく、または、表層部１０の厚さ寸法よりも大きい寸法としてもよい。また、これら表層部１０及び裏層部２０の厚さ寸法は、当該床材１の厚さ寸法が一般的な床材の厚さ寸法と同寸法、または一般的な床材の厚さ寸法よりも薄くなるように、適宜、設定するようにしてもよい。
【００２２】
また、この裏層部２０の比重は、当該床材１の施工後の自重安定性等の観点等から適宜、設定するようにしてもよい。この裏層部２０の比重を、０．４〜０．８程度の比重とされたＭＤＦからなる木質系基材１１を含む表層部１０の２．０倍以上の比重となるように、適宜、設定するようにしてもよい。例えば、この裏層部２０の比重を、０．８〜４．０程度、好ましくは、２．０〜４．０程度の比重としてもよい。なお、表層部１０の表裏の樹脂系シート１４，１５は、木質系基材１１に比して極めて薄いため、木質系基材１１の比重を、表層部１０の比重として把握するようにしてもよい。また、軟質基材２１の表裏に設けられた後記する易滑層状部２２及び不陸吸収部２３も同様、軟質基材２１に比して極めて薄いため、軟質基材２１の比重を、裏層部２０の比重として把握するようにしてもよい。
また、軟質基材２１としては、比較的に高比重なアスファルト系シートや、ゴムシート、軟質樹脂系シート等の遮音シートを採用するようにしてもよい。
【００２３】
また、本実施形態では、図１（ｂ）及び図２（ａ）に示すように、裏層部２０の表面に、雌実部２の凹溝を区画する裏側突片部２４となる部位を含んで全面に亘って、雌実部２に嵌め入れられる雄実部３の嵌め入れ方向への易滑性を付与する易滑層状部２２を設けている。
この易滑層状部２２は、上記のような比較的に滑り難い遮音シートからなる軟質基材２１の表面よりも裏側突片部２４の表面の滑り性を向上させるようなものとしてもよい。例えば、薄シート状の不織布や編み込んだクロスシート等の繊維シートとしてもよく、また、ガラス繊維や炭素繊維等の強化繊維をシート状に加工した強化繊維シート等の繊維シートとしてもよい。また、易滑層状部２２としては、軟質基材２１上に塗布され硬化後に滑り性のある接着剤層としてもよく、さらには、軟質基材２１上に積層された繊維シート上に塗布され硬化後に滑り性のある接着剤層としてもよい。
この易滑層状部２２は、軟質基材２１の厚さ寸法に比して薄い寸法とされており、例えば、０．１ｍｍ〜１．０ｍｍ程度の厚さ寸法とされたものとしてもよい。
【００２４】
本実施形態では、図２に示すように、易滑層状部２２を、裏層部２０と表層部１０とを接着する接着剤が硬化して形成された接着剤層としている。また、本実施形態では、易滑層状部２２を、床材幅方向に筋状に延びかつ床材長手方向に間隔を空けて塗布された接着剤が硬化して形成された多数の筋状部によって構成している。このような構成とすれば、上述のように複数の床材１，１を施工した後における、一方向に長尺な隣接する床材１，１同士の長手方向へのずれを抑制することができる。つまりは、隣接する床材１，１同士の幅方向への実嵌合性を向上させることが可能でありながらも長手方向へは滑り難くなることとなる。なお、隣接する床材１，１同士の長手方向側端部の雌実部２への雄実部３の凹溝深さ方向への嵌め入れ性はやや低下することとなるが、軟質基材２１が露出しているようなものと比べれば、滑り性を向上させることができる。
【００２５】
また、本実施形態では、図１（ｂ）に示すように、裏層部２０の裏面に、全面に亘って、床下地４の不陸を吸収する不陸吸収部２３を設けている。つまり、当該床材１の裏面の全面に亘って、不陸吸収部２３が設けられることとなる。
この不陸吸収部２３としては、上記と同様な不織布等の繊維シート２３としてもよい。また、この不陸吸収部２３は、軟質基材２１の厚さ寸法に比して薄い寸法とされており、例えば、０．１ｍｍ〜１．０ｍｍ程度の厚さ寸法とされたものとしてもよい。
【００２６】
また、本実施形態では、図１（ｂ）に示すように、裏層部２０の一方の側端部２４を、表側突片部１２よりも外方側に突出させ、裏層部２０の他方の側端部２５を、この一方の側端部２４を受け入れ可能なように内方側に後退させた構造としている。つまり、雌実部２の凹溝を区画する表側突片部１２の突出寸法よりも同凹溝を区画する裏側突片部２４の突出寸法を大きい寸法としている。この裏側突片部２４の突出寸法は、実嵌合性や取扱性等の観点等から適宜、設定するようにしてもよい。例えば、この裏側突片部２４の突出寸法を、表側突片部１２の１．５〜５倍程度、好ましくは２〜４倍程度の突出寸法としてもよく、図例では、３倍程度とした例を示している。
また、裏層部２０の他方の側端部２５の表層部１０の裏側突片部１３からの内方側への後退寸法は、雌実部２の裏側突片部となる一方の側端部２４を受け入れ可能な寸法とすればよい。例えば、この他方の側端部２５の後退寸法を、突き上げ等を抑制する観点等から、裏側突片部２４の突出寸法よりも僅かに大きい寸法としてもよい。
【００２７】
なお、当該床材１は、それぞれに適宜の長さ寸法及び幅寸法とされた表層部１０と裏層部２０とを、互いに面域方向にずらすようにして積層一体化することで、四周側端部に上述のような雌実部２及び雄実部３が形成されるものとしてもよい。
また、当該床材１は、釘やねじ等の止具や接着剤等によって床下地４に対して固定せずに置敷施工される置敷床材としてもよい。
【００２８】
本実施形態に係る床材１は、上述のような構成としたことで、薄型化を図りながらも床下地４との馴染み性を向上させ、表層側の実構成部位の強度を向上させることができる。
つまり、両側端部に表側突片部１２及び裏側突片部１３が設けられた表層部１０の裏面側に、一方の側端部２４が表側突片部１２とによって雌実部２を構成し、かつ他方の側端部２５側の裏側突片部１３が雄実部３となるように、柔軟性を有したシート状の裏層部２０を積層した構成としている。従って、床材１自体の一方の側端部の雌実部２が、表層部１０の表側突片部１２と裏層部２０の一方の側端部２４とによって構成され、他方の側端部の雄実部３が、表層部１０の裏側突片部１３によって構成されることとなる。これにより、例えば、表層側の木質系基材の両側端部に本実構造の雌実部及び雄実部をそれぞれに設けた構成と比べて、床材１自体の薄型化を図りながらも床下地４との馴染み性を向上させることができる。また、このようなことが可能でありながらも床材１の両側端部に本実構造の雌実部２及び雄実部３を設けることができる。
【００２９】
また、裏層部２０の一方の側端部２４が雌実部２の凹溝を区画する裏側突片部２４となるので、その柔軟性によって実接合時の作業性を向上させることができる。また、釘やねじ等の止具や接着剤等によって床下地４に対して床材１を固定せずに置敷施工する態様とした場合には、施工後に一枚単位で床材１を取り外したり、交換したりするようなことも比較的に容易に可能となる。
また、表層部１０の表裏に、表側突片部１２の表面及び裏側突片部１３の裏面を含んで全面に亘って樹脂系シート１４，１５をそれぞれに貼着している。従って、木質系基材１１を含む表層部１０の吸放湿等に伴う反りや変形等を抑制することができる。また、表層部１０の表側突片部１２の表面及び裏側突片部１３の裏面にも樹脂系シート１４，１５が貼着されているので、床材１の雌実部２及び雄実部３を構成する表層部１０の表側突片部１２及び裏側突片部１３の強度を向上させることができる。
【００３０】
また、本実施形態では、裏層部２０の表面に、雌実部２の凹溝を区画する裏側突片部２４となる部位を含んで全面に亘って、雌実部２に嵌め入れられる雄実部３の嵌め入れ方向への易滑性を付与する易滑層状部２２を設けている。従って、雌実部２の凹溝を区画する裏側突片部２４の表面に、裏層部２０を構成する軟質基材２１の表面が露出しているようなものと比べて、滑り性を向上させることができ、実接合時の作業性をより向上させることができる。また、易滑層状部２２を介して裏層部２０と表層部１０とを積層することができ、雌実部２の凹溝を区画する裏側突片部２４の表面のみに易滑層状部２２を設けたようなものと比べて、容易に形成することができる。なお、このような易滑層状部２２を設けないようにしてもよい。
また、本実施形態では、裏層部２０の裏面に、全面に亘って、床下地４の不陸を吸収する不陸吸収部２３を設けている。従って、床下地４の不陸を吸収することができる。なお、このような不陸吸収部２３を設けないようにしてもよい。
【００３１】
また、本実施形態では、裏層部２０の裏側突片部となる一方の側端部２４を、表側突片部１２よりも外方側に突出させ、裏層部２０の他方の側端部２５を、この一方の側端部２４を受け入れ可能なように内方側に後退させた構造としている。従って、雌実部２の凹溝を区画する表裏両側突片部１２，２４の先端面を同一平面状としたり、表側突片部１２よりも裏側突片部２４を内方側に後退させたようなものと比べて、施工性を向上させることができる。つまり、床下地４上に施工された床材１の雌実部２の裏側突片部２４上に、他の床材１の雄実部３を載せることができ、実接合時の作業性をより向上させることができる。また、例えば、床材１を床下地４に固定するために、雌実部２の裏側突片部２４に止具を止着する場合には、止具を容易に止着することも可能となる。なお、このような態様に代えて、裏層部２０の一方の側端部２４の先端面を、雌実部２の凹溝を区画する表側突片部１２の先端面と同一平面状としたり、表側突片部１２よりも内方側に後退させてもよい。
【００３２】
また、本実施形態では、裏層部２０を、表層部１０の１／２以上の厚さ寸法とし、かつ表層部１０の２．０倍以上の比重としている。従って、裏層部２０が表層部１０に比べて高比重となり、また、この裏層部２０が床材自重の半分以上を占めることとなる。これにより、裏層部２０の柔軟性による床下地４への馴染み性に加え、自重による安定性により床下地４への馴染み性をより向上させることができ、また、床下地４上へ設置後の位置ずれを抑制することができる。この結果、床材１を、止具や接着剤等によって床下地４に固定せずに、置き敷くことによって施工される置敷床材として好適に用いることができる。なお、このような態様に代えて、裏層部２０を、表層部１０の１／２未満の厚さ寸法としたり、表層部１０の２．０倍未満の比重としたりしてもよい。
【００３３】
なお、本実施形態では、床材１の表面を平坦面形状とした例を示しているが、当該床材１の表面側に、適宜、化粧溝等を設けるようにしてもよい。
また、本実施形態では、平面視して略長方形状とされた床材１を例示しているが、略正方形状とされたものとしてもよい。
また、本実施形態では、床材１の四周側端部に雌実部２及び雄実部３を設けた例を示しているが、床材１の少なくとも一方向の両側端部に雌実部２及び雄実部３を設けた構成としてもよい。
【符号の説明】
【００３４】
１          床材
２          雌実部
３          雄実部
１０        表層部
１１        木質系基材
１２        表側突片部
１３        裏側突片部
１４，１５  樹脂系シート
２０        裏層部
２２        易滑層状部
２４        裏側突片部（裏層部の一方の側端部）
２５        裏層部の他方の側端部
【図１】
2015143432.tif 000003
【図２】
2015143432.tif 000004
【図３】
2015143432.tif 000005